【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
クラウドソーシングワイヤレス信号のためのスモールセルに基づく方法であって、
既知の位置に設置されたスモールセルによって、前記既知の位置で１つまたは複数のワイヤレスダウンリンク信号を観察することと、ここにおいて、前記スモールセルは、セルラーダウンリンク信号を観察するために内蔵型のネットワークリスン受信機を備え、
前記スモールセルによって、前記既知の位置を識別する情報であって、前記情報の送信元として前記スモールセルを識別し、前記１つまたは複数の観察されたワイヤレスダウンリンク信号の１つまたは複数の検出された特性を記述する情報を、少なくとも１つのクラウドソーシングサーバへ提供することと、ここにおいて、前記情報は、前記既知の位置の付近に位置する１つまたは複数のモバイルデバイスに位置支援情報を提供する際に、前記少なくとも１つのクラウドソーシングサーバによって使用される、
を備える、方法。
【請求項２】
少なくとも１つのクラウドソーシングサーバに提供される前記情報は、観察されたＬＴＥダウンリンク信号に基づく位置参照信号（ＰＲＳ）構成である、請求項１に記載の方法。
【請求項３】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項２に記載の方法。
【請求項４】
前記スモールセルは、マイクロセル、ピコセル、またはフェムトセルである、請求項１に記載の方法。
【請求項５】
前記既知の位置を識別し、前記１つまたは複数の観察されたワイヤレスダウンリンク信号の前記１つまたは複数の検出された特性を記述する前記情報は、
前記１つまたは複数の観察されたワイヤレスダウンリンク信号に対応する１つまたは複数の受信された信号強度指示（ＲＳＳＩ）測定値と、
前記１つまたは複数の観察されたワイヤレスダウンリンク信号に対応する１つまたは複数の到達時間（ＴＯＡ）測定値と、
前記１つまたは複数の観察されたワイヤレスダウンリンク信号のうちの少なくとも２つに対応する１つまたは複数の到達時間差（ＴＤＯＡ）測定値と、
前記１つまたは複数の観察されたワイヤレスダウンリンク信号に対応する１つまたは複数の到達の角度（ＡＯＡ）測定値と、
前記１つまたは複数の観察されたワイヤレスダウンリンク信号に対応する１つまたは複数のラウンドトリップ時間（ＲＴＴ）測定値と
のうちの少なくとも１つを含む、請求項１に記載の方法。
【請求項６】
ネットワークリスニング受信機は、前記１つまたは複数のワイヤレスダウンリンク信号を観察する、請求項１に記載の方法。
【請求項７】
少なくとも１つのクラウドソーシングサーバに提供される前記情報は、
前記１つまたは複数の観察されたワイヤレスダウンリンク信号に対応する１つまたは複数の基地局の位置と、
前記１つまたは複数の観察されたワイヤレスダウンリンク信号に対応するＧＮＳＳ時間に関する１つまたは複数の基地局のタイミングと、
前記１つまたは複数の観察されたワイヤレスダウンリンク信号に対応する１つまたは複数のパイロット信号構成と
のうちの少なくとも１つを含む、請求項１に記載の方法。
【請求項８】
前記ＧＮＳＳ時間は、ＧＮＳＳの詳細な時間支援測定値である、請求項７に記載の方法。
【請求項９】
少なくとも１つのクラウドソーシングサーバに提供される前記情報は、前記少なくとも１つのクラウドソーシングサーバによって要求された場合、または前記情報が変化する場合に、定期的に提供される、請求項１に記載の方法。
【請求項１０】
前記１つまたは複数のワイヤレスダウンリンク信号は、
ＧＳＭ（登録商標）信号と、
ＵＭＴＳ信号と、
ＬＴＥ信号と、
ＣＤＭＡ信号と、
ＷＬＡＮ信号と
のうちの少なくとも１つを含む、請求項１に記載の方法。
【請求項１１】
前記既知の位置は、前記スモールセルの内部のＡ−ＧＮＳＳモジュールから得られる、請求項１に記載の方法。
【請求項１２】
ローカルデータベースは、前記スモールセルに基地局またはアクセスポイントに対する位置情報を提供することができる、請求項１に記載の方法。
【請求項１３】
少なくとも１つのクラウドソーシングサーバに前記スモールセルによって提供される前記情報は測定データである、請求項１に記載の方法。
【請求項１４】
クラウドソーシングワイヤレス信号のためのスモールセルであって、
１つまたは複数のスモールセルベースバンドプロセッサと、
前記１つまたは複数のスモールセルベースバンドプロセッサによって実行されると、前記スモールセルが、
前記スモールセルが設置されている既知の位置で１つまたは複数のワイヤレスダウンリンク信号を観察し、ここにおいて、前記スモールセルは、セルラーダウンリンク信号を観察するために内蔵型のネットワークリスン受信機を備え、
少なくとも１つのクラウドソーシングサーバに、前記既知の位置を識別する情報であって、前記情報の送信元として前記スモールセルを識別し、前記１つまたは複数の観察されたワイヤレスダウンリンク信号の１つまたは複数の検出された特性を記述する情報を提供し、ここにおいて、前記情報は、前記既知の位置の付近に位置する１つまたは複数のモバイルデバイスに位置支援情報を提供する際に、前記少なくとも１つのクラウドソーシングサーバによって使用される
ことを生じさせるコンピュータ可読命令を格納するメモリと
を備える、スモールセル。
【請求項１５】
少なくとも１つのクラウドソーシングサーバに提供される前記情報は、観察されたＬＴＥダウンリンク信号に基づく位置参照信号（ＰＲＳ）構成である、請求項１４に記載のスモールセル。
【請求項１６】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項１５に記載のスモールセル。
【請求項１７】
前記スモールセルは、マイクロセル、ピコセル、またはフェムトセルである、請求項１４に記載のスモールセル。
【請求項１８】
前記既知の位置を識別し、前記１つまたは複数の観察されたワイヤレスダウンリンク信号の前記１つまたは複数の検出された特性を記述する前記情報は、
前記１つまたは複数の観察されたワイヤレスダウンリンク信号に対応する１つまたは複数の受信された信号強度指示（ＲＳＳＩ）測定値と、
前記１つまたは複数の観察されたワイヤレスダウンリンク信号に対応する１つまたは複数の到達時間（ＴＯＡ）測定値と、
前記１つまたは複数の観察されたワイヤレスダウンリンク信号のうちの少なくとも２つに対応する１つまたは複数の到達時間差（ＴＤＯＡ）測定値と、
前記１つまたは複数の観察されたワイヤレスダウンリンク信号に対応する１つまたは複数の到達の角度（ＡＯＡ）測定値と、
前記１つまたは複数の観察されたワイヤレスダウンリンク信号に対応する１つまたは複数のラウンドトリップ時間（ＲＴＴ）測定値と
のうちの少なくとも１つを含む、請求項１４に記載のスモールセル。
【請求項１９】
ネットワークリスニング受信機は、前記１つまたは複数のワイヤレスダウンリンク信号を観察する、請求項１４に記載のスモールセル。
【請求項２０】
少なくとも１つのクラウドソーシングサーバに提供される前記情報は、
前記１つまたは複数の観察されたワイヤレスダウンリンク信号に対応する１つまたは複数の基地局の位置と、
前記１つまたは複数の観察されたワイヤレスダウンリンク信号に対応するＧＮＳＳ時間に関する１つまたは複数の基地局のタイミングと、
前記１つまたは複数の観察されたワイヤレスダウンリンク信号に対応する１つまたは複数のパイロット信号構成と
のうちの少なくとも１つを含む、請求項１４に記載のスモールセル。
【請求項２１】
前記ＧＮＳＳ時間は、ＧＮＳＳの詳細な時間支援測定値である、請求項２０に記載のスモールセル。
【請求項２２】
少なくとも１つのクラウドソーシングサーバに提供される前記情報は、前記少なくとも１つのクラウドソーシングサーバによって要求された場合、または前記情報が変化する場合に、定期的に提供される、請求項１４に記載のスモールセル。
【請求項２３】
前記１つまたは複数のワイヤレスダウンリンク信号は、
ＧＳＭ信号と、
ＵＭＴＳ信号と、
ＬＴＥ信号と、
ＣＤＭＡ信号と、
ＷＬＡＮ信号と
のうちの少なくとも１つを含む、請求項１４に記載のスモールセル。
【請求項２４】
前記既知の位置は、前記スモールセルの内部のＡ−ＧＮＳＳモジュールから得られる、請求項１４に記載のスモールセル。
【請求項２５】
ローカルデータベースは、前記スモールセルに基地局またはアクセスポイントに対する位置情報を提供することができる、請求項１４に記載のスモールセル。
【請求項２６】
少なくとも１つのクラウドソーシングサーバに前記スモールセルによって提供される前記情報は測定データである、請求項１４に記載のスモールセル。
【請求項２７】
クラウドソーシングワイヤレス信号のためにコンピュータ実行可能命令を格納する１つまたは複数のコンピュータ可読媒体であって、実行されると、スモールセルに含まれる１つまたは複数のコンピューティングデバイスが、
前記スモールセルが設置されている既知の位置で１つまたは複数のワイヤレスダウンリンク信号を観察し、ここにおいて、前記スモールセルは、セルラーダウンリンク信号を観察するために内蔵型のネットワークリスン受信機を備え、
少なくとも１つのクラウドソーシングサーバに、前記既知の位置を識別する情報であって、前記情報の送信元として前記スモールセルを識別し、前記１つまたは複数の観察されたワイヤレスダウンリンク信号の１つまたは複数の検出された特性を記述する情報を提供し、ここにおいて、前記情報は、前記既知の位置の付近に位置する１つまたは複数のモバイルデバイスに位置支援情報を提供する際に、前記少なくとも１つのクラウドソーシングサーバによって使用される
ことを生じさせる、１つまたは複数のコンピュータ可読媒体。
【請求項２８】
少なくとも１つのクラウドソーシングサーバに提供される前記情報は、観察されたＬＴＥダウンリンク信号に基づく位置参照信号（ＰＲＳ）構成である、請求項２７に記載の１つまたは複数のコンピュータ可読媒体。
【請求項２９】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項２８に記載の１つまたは複数のコンピュータ可読媒体。
【請求項３０】
前記スモールセルは、マイクロセル、ピコセル、またはフェムトセルである、請求項２７に記載の１つまたは複数のコンピュータ可読媒体。
【請求項３１】
前記既知の位置を識別し、前記１つまたは複数の観察されたワイヤレスダウンリンク信号の前記１つまたは複数の検出された特性を記述する前記情報は、
前記１つまたは複数の観察されたワイヤレスダウンリンク信号に対応する１つまたは複数の受信された信号強度指示（ＲＳＳＩ）測定値と、
前記１つまたは複数の観察されたワイヤレスダウンリンク信号に対応する１つまたは複数の到達時間（ＴＯＡ）測定値と、
前記１つまたは複数の観察されたワイヤレスダウンリンク信号のうちの少なくとも２つに対応する１つまたは複数の到達時間差（ＴＤＯＡ）測定値と、
前記１つまたは複数の観察されたワイヤレスダウンリンク信号に対応する１つまたは複数の到達の角度（ＡＯＡ）測定値と、
前記１つまたは複数の観察されたワイヤレスダウンリンク信号に対応する１つまたは複数のラウンドトリップ時間（ＲＴＴ）測定値と
のうちの少なくとも１つを含む請求項２７に記載の１つまたは複数のコンピュータ可読媒体。
【請求項３２】
ネットワークリスニング受信機は、前記１つまたは複数のワイヤレスダウンリンク信号を観察する、請求項２７に記載の１つまたは複数のコンピュータ可読媒体。
【請求項３３】
少なくとも１つのクラウドソーシングサーバに提供される前記情報は、
前記１つまたは複数の観察されたワイヤレスダウンリンク信号に対応する１つまたは複数の基地局の位置と、
前記１つまたは複数の観察されたワイヤレスダウンリンク信号に対応するＧＮＳＳ時間に関する１つまたは複数の基地局のタイミングと、
前記１つまたは複数の観察されたダウンリンクワイヤレス信号に対応する１つまたは複数のパイロット信号構成と
のうちの少なくとも１つを含む、請求項２７に記載の１つまたは複数のコンピュータ可読媒体。
【請求項３４】
前記ＧＮＳＳ時間は、ＧＮＳＳの詳細な時間支援測定値である、請求項３３に記載の１つまたは複数のコンピュータ可読媒体。
【請求項３５】
少なくとも１つのクラウドソーシングサーバに提供される前記情報は、前記少なくとも１つのクラウドソーシングサーバによって要求された場合、または前記情報が変化する場合に、定期的に提供される、請求項２７に記載の１つまたは複数のコンピュータ可読媒体。
【請求項３６】
前記１つまたは複数のワイヤレスダウンリンク信号は、
ＧＳＭ信号と、
ＵＭＴＳ信号と、
ＬＴＥ信号と、
ＣＤＭＡ信号と、
ＷＬＡＮ信号と
のうちの少なくとも１つを含む、請求項２７に記載の１つまたは複数のコンピュータ可読媒体。
【請求項３７】
前記既知の位置は、前記スモールセルの内部のＡ−ＧＮＳＳモジュールから得られる、請求項２７に記載の１つまたは複数のコンピュータ可読媒体。
【請求項３８】
ローカルデータベースは、前記スモールセルに基地局またはアクセスポイントに対する位置情報を提供することができる、請求項２７に記載の１つまたは複数のコンピュータ可読媒体。
【請求項３９】
少なくとも１つのクラウドソーシングサーバに前記スモールセルによって提供される前記情報は測定データである、請求項２７に記載の１つまたは複数のコンピュータ可読媒体。
【請求項４０】
クラウドソーシングワイヤレス信号のためのスモールセルであって、
既知の位置に設置されたスモールセルによって、前記既知の位置で１つまたは複数のワイヤレスダウンリンク信号を観察するための手段と、ここにおいて、前記スモールセルは、セルラーダウンリンク信号を観察するために内蔵型のネットワークリスン受信機を備え、
前記スモールセルによって、少なくとも１つのクラウドソーシングサーバに、前記既知の位置を識別する情報であって、前記情報の送信元として前記スモールセルを識別し、前記１つまたは複数の観察されたワイヤレスダウンリンク信号の１つまたは複数の検出された特性を記述する情報を提供するための手段と、ここにおいて、前記情報は、前記既知の位置の付近に位置する１つまたは複数のモバイルデバイスに位置支援情報を提供する際に、前記少なくとも１つのクラウドソーシングサーバによって使用される、
を備える、スモールセル。
【請求項４１】
少なくとも１つのクラウドソーシングサーバに提供される前記情報は、観察されたＬＴＥダウンリンク信号に基づく位置参照信号（ＰＲＳ）構成である、請求項４０に記載の方法。
【請求項４２】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項４１に記載の方法。
【請求項４３】
前記スモールセルは、マイクロセル、ピコセル、またはフェムトセルである、請求項４０に記載の方法。
【請求項４４】
前記既知の位置を識別し、前記１つまたは複数の観察されたワイヤレスダウンリンク信号の前記１つまたは複数の検出された特性を記述する前記情報は、
前記１つまたは複数の観察されたワイヤレスダウンリンク信号に対応する１つまたは複数の受信された信号強度指示（ＲＳＳＩ）測定値と、
前記１つまたは複数の観察されたワイヤレスダウンリンク信号に対応する１つまたは複数の到達時間（ＴＯＡ）測定値と、
前記１つまたは複数の観察されたワイヤレスダウンリンク信号のうちの少なくとも２つに対応する１つまたは複数の到達時間差（ＴＤＯＡ）測定値と、
前記１つまたは複数の観察されたワイヤレスダウンリンク信号に対応する１つまたは複数の到達の角度（ＡＯＡ）測定値と、
前記１つまたは複数の観察されたワイヤレスダウンリンク信号に対応する１つまたは複数のラウンドトリップ時間（ＲＴＴ）測定値と
のうちの少なくとも１つを含む、請求項４０に記載の方法。
【請求項４５】
少なくとも１つのクラウドソーシングサーバに提供される前記情報は、
前記１つまたは複数の観察されたワイヤレスダウンリンク信号に対応する１つまたは複数の基地局の位置と、
前記１つまたは複数の観察されたワイヤレスダウンリンク信号に対応するＧＮＳＳ時間に関する１つまたは複数の基地局のタイミングと、
前記１つまたは複数の観察されたワイヤレスダウンリンク信号に対応する１つまたは複数のパイロット信号構成と
のうちの少なくとも１つを含む、請求項４０に記載の方法。
【請求項４６】
前記ＧＮＳＳ時間は、ＧＮＳＳの詳細な時間支援測定値である、請求項４５に記載の方法。
【請求項４７】
少なくとも１つのクラウドソーシングサーバに提供される前記情報は、前記少なくとも１つのクラウドソーシングサーバによって要求された場合、または前記情報が変化する場合に、定期的に提供される、請求項４０に記載の方法。
【請求項４８】
前記１つまたは複数のワイヤレスダウンリンク信号は、
ＧＳＭ信号と、
ＵＭＴＳ信号と、
ＬＴＥ信号と、
ＣＤＭＡ信号と、
ＷＬＡＮ信号と
のうちの少なくとも１つを含む、請求項４０に記載の方法。
【請求項４９】
前記既知の位置は、前記スモールセルの内部のＡ−ＧＮＳＳモジュールから得られる、請求項４０に記載の方法。
【請求項５０】
ローカルデータベースは、前記スモールセルに基地局またはアクセスポイントに対する位置情報を提供することができる、請求項４０に記載の方法。
【請求項５１】
少なくとも１つのクラウドソーシングサーバに前記スモールセルによって提供される前記情報は測定データである請求項４０に記載の方法。
【請求項５２】
クラウドソーシングサーバであって、
少なくとも１つのプロセッサと、
実行されると、前記クラウドソーシングサーバが、
既知の位置に設置されたスモールセルから、前記既知の位置で前記スモールセルによって観察された１つまたは複数のワイヤレスダウンリンク信号を記述する情報であって、前記情報の送信元として前記スモールセルを識別する情報を受信し、ここにおいて、前記スモールセルは、セルラーダウンリンク信号を観察するために内蔵型のネットワークリスン受信機を備え、
前記受信された情報に基づいてデータベースを更新し、
前記データベースに含まれる情報を使用して、１つまたは複数のモバイルデバイスに位置支援情報を提供する
ことを生じさせるコンピュータ可読命令を格納するメモリと
を備える、クラウドソーシングサーバ。
【請求項５３】
前記受信された情報は、観察されたＬＴＥダウンリンク信号に基づく位置参照信号（ＰＲＳ）構成である、請求項５２に記載のクラウドソーシングサーバ。
【請求項５４】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項５３に記載のクラウドソーシングサーバ。
【請求項５５】
前記データベースは、複数の異なる位置に設置された複数のスモールセルによって提供される信号観察情報を含む、請求項５２に記載のクラウドソーシングサーバ。
【請求項５６】
前記データベースは、他のモバイルデバイスから受信された信号観察情報をさらに含む、請求項５２に記載のクラウドソーシングサーバ。
【請求項５７】
クラウドソーシングサーバを使用するクラウドソーシングワイヤレス信号のための方法であって、
既知の位置に設置されたスモールセルから、前記既知の位置で前記スモールセルによって観察された１つまたは複数のワイヤレスダウンリンク信号を記述する情報を受信することと、ここにおいて、前記スモールセルは、セルラーダウンリンク信号を観察するために内蔵型のネットワークリスン受信機を備え、
前記受信された情報に基づいてデータベースを更新することと、
前記データベースに含まれる情報を使用して、１つまたは複数のモバイルデバイスに位置支援情報を提供することと
を備える、方法。
【請求項５８】
前記受信された情報は、観察されたＬＴＥダウンリンク信号に基づく位置参照信号（ＰＲＳ）構成である、請求項５７に記載の方法。
【請求項５９】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項５８に記載の方法。
【請求項６０】
前記データベースは、複数の異なる位置に設置された複数のスモールセルによって提供される信号観察情報を含む、請求項５７に記載の方法。
【請求項６１】
前記データベースは、他のモバイルデバイスから受信された信号観察情報をさらに含む、請求項５７に記載の方法。
【請求項６２】
クラウドソーシングワイヤレス信号のためにコンピュータ実行可能命令を格納する１つまたは複数のコンピュータ可読媒体であって、実行されると、クラウドソーシングサーバに含まれる１つまたは複数のコンピューティングデバイスが、
既知の位置に設置されたスモールセルから、前記既知の位置で前記スモールセルによって観察された１つまたは複数のワイヤレスダウンリンク信号を記述する情報であって、前記情報の送信元として前記スモールセルを識別する情報を受信し、ここにおいて、前記スモールセルは、セルラーダウンリンク信号を観察するために内蔵型のネットワークリスン受信機を備え、
前記受信された情報に基づいてデータベースを更新し、
前記データベースに含まれる情報を使用して、１つまたは複数のモバイルデバイスに位置支援情報を提供する
ことを生じさせる、１つまたは複数のコンピュータ可読媒体。
【請求項６３】
前記受信された情報は、観察されたＬＴＥダウンリンク信号に基づく位置参照信号（ＰＲＳ）構成である、請求項６２に記載の１つまたは複数のコンピュータ可読媒体。
【請求項６４】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項６３に記載の１つまたは複数のコンピュータ可読媒体。
【請求項６５】
前記データベースは、複数の異なる位置に設置された複数のスモールセルによって提供される信号観察情報を含む、請求項６２に記載の１つまたは複数のコンピュータ可読媒体。
【請求項６６】
前記データベースは、他のモバイルデバイスから受信された信号観察情報をさらに含む、請求項６２に記載の１つまたは複数のコンピュータ可読媒体。
【請求項６７】
既知の位置に設置されたスモールセルから、前記既知の位置で前記スモールセルによって観察された１つまたは複数のワイヤレスダウンリンク信号を記述する情報であって、前記情報の送信元として前記スモールセルを識別する情報を受信するための手段と、ここにおいて、前記スモールセルは、セルラーダウンリンク信号を観察するために内蔵型のネットワークリスン受信機を備え、
前記受信された情報に基づいてデータベースを更新するための手段と、
前記データベースに含まれる情報を使用して、１つまたは複数のモバイルデバイスに位置支援情報を提供するための手段と
を備えるクラウドソーシングサーバ。
【請求項６８】
前記受信された情報は、観察されたＬＴＥダウンリンク信号に基づく位置参照信号（ＰＲＳ）構成である、請求項６７に記載の方法。
【請求項６９】
前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素と
のうちの少なくとも１つを含む、請求項６８に記載の方法。
【請求項７０】
前記データベースは、複数の異なる位置に設置された複数のスモールセルによって提供される信号観察情報を含む、請求項６７に記載の方法。
【請求項７１】
前記データベースは、他のモバイルデバイスから受信された信号観察情報をさらに含む、請求項６７に記載の方法。
【手続補正２】
【補正対象書類名】明細書
【補正対象項目名】０２０２
【補正方法】変更
【補正の内容】
【０２０２】
[0199]さらに追加的かつ／または代替の実施形態では、上記の要素は、単により大きいシステムの構成要素の場合があり、ここにおいて、他のルールが、本発明のアプリケーションより優先度が高いか、またはそうでなければそれを修正することができる。また、上記の要素について考慮される前、間、または後、複数のステップが着手され得る。したがって、上記の説明は、本開示の範囲を制限するものではない。
以下に本願の出願当初の特許請求の範囲に記載された発明を付記する。
[Ｃ１]  クラウドソーシングワイヤレス信号のためのスモールセルに基づく方法であって、
既知の位置に設置されたスモールセルによって、前記既知の位置で１つまたは複数のワイヤレス信号を観察することと、ここにおいて、前記スモールセルは、セルラーダウンリンク信号を観察するために内蔵型のネットワークリスン受信機を備え、
前記スモールセルによって、前記既知の位置を識別し、かつ前記１つまたは複数の観察されたワイヤレス信号の１つまたは複数の検出された特性を記述する情報を、少なくとも１つのクラウドソーシングサーバへ提供することと、ここにおいて、前記情報は、前記既知の位置の付近に位置する１つまたは複数のモバイルデバイスに位置支援情報を提供することにおいて、前記少なくとも１つのクラウドソーシングサーバによって使用される、を備える、方法。
[Ｃ２]  少なくとも１つのクラウドソーシングサーバに提供される前記情報は、観察されたＬＴＥダウンリンク信号に基づく位置参照信号（ＲＳＳ）構成である、Ｃ１に記載の方法。
[Ｃ３]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを備える、Ｃ２に記載の方法。
[Ｃ４]  前記スモールセルは、マイクロセル、ピコセル、またはフェムトセルである、Ｃ１に記載の方法。
[Ｃ５]  前記既知の位置を識別し、かつ前記１つまたは複数の観察されたワイヤレス信号の１つまたは複数の検出された特性を記述する前記情報は、
前記１つまたは複数の観察されたワイヤレス信号に対応する１つまたは複数の受信された信号強度指示（ＲＳＳＩ）測定値と、
前記１つまたは複数の観察されたワイヤレス信号に対応する１つまたは複数の到達時間（ＴＯＡ）測定値と、
前記１つまたは複数の観察されたワイヤレス信号の少なくとも２つに対応する１つまたは複数の到達時間差（ＴＤＯＡ）測定値と、
前記１つまたは複数の観察されたワイヤレス信号に対応する１つまたは複数の到達の角度（ＡＯＡ）測定値と、
前記１つまたは複数の観察されたワイヤレス信号に対応する１つまたは複数のラウンドトリップ時間（ＲＴＴ）測定値との少なくとも１つを備える、Ｃ１に記載の方法。
[Ｃ６]  ネットワークリスニング受信機は、前記１つまたは複数のワイヤレス信号を観察する、Ｃ１に記載の方法。
[Ｃ７]  少なくとも１つのクラウドソーシングサーバに提供される前記情報は、
前記１つまたは複数の観察されたワイヤレス信号に対応する１つまたは複数の基地局の位置と、
前記１つまたは複数の観察されたワイヤレス信号に対応するＧＮＳＳ時間に関する１つまたは複数の基地局のタイミングと、
前記１つまたは複数の観察されたワイヤレス信号に対応する１つまたは複数のパイロット信号構成との少なくとも１つを含む、Ｃ１に記載の方法。
[Ｃ８]  前記ＧＮＳＳ時間は、ＧＮＳＳの詳細な時間支援測定値である、Ｃ７に記載の方法。
[Ｃ９]  少なくとも１つのクラウドソーシングサーバに提供される前記情報は、前記少なくとも１つのクラウドソーシングサーバによって要求された場合、または前記情報が変化する場合に、定期的に提供される、Ｃ１に記載の方法。
[Ｃ１０]  前記１つまたは複数のワイヤレス信号は、
ＧＳＭ（登録商標）信号と、
ＵＭＴＳ信号と、
ＬＴＥ信号と、
ＣＤＭＡ信号と、
ＷＬＡＮ信号との少なくとも１つを含む、Ｃ１に記載の方法。
[Ｃ１１]  前記既知の位置は、前記スモールセルの内部のＡ−ＧＮＳＳモジュールから得られる、Ｃ１に記載の方法。
[Ｃ１２]  ローカルデータベースは、前記スモールセルに基地局またはアクセスポイントに対する位置情報を提供することができる、Ｃ１に記載の方法。
[Ｃ１３]  少なくとも１つのクラウドソーシングサーバに前記スモールセルによって提供される前記情報は測定データである、Ｃ１に記載の方法。
[Ｃ１４]  クラウドソーシングワイヤレス信号のためのスモールセルであって、
１つまたは複数のスモールセルベースバンドプロセッサと、
前記１つまたは複数のスモールセルベースバンドプロセッサによって実行されると、前記スモールセルが、
前記スモールセルが設置されている既知の位置で１つまたは複数のワイヤレス信号を観察し、ここにおいて、前記スモールセルは、セルラーダウンリンク信号を観察するために内蔵型のネットワークリスン受信機を備え、
少なくとも１つのクラウドソーシングサーバに、前記既知の位置を識別し、前記１つまたは複数の観察されたワイヤレス信号の１つまたは複数の検出された特性を記述する情報を提供し、ここにおいて、前記情報は、前記既知の位置の付近に位置する１つまたは複数のモバイルデバイスに位置支援情報を提供する際に、前記少なくとも１つのクラウドソーシングサーバによって使用される
ことを生じさせるコンピュータ可読命令を格納するメモリとを備える、スモールセル。
[Ｃ１５]  少なくとも１つのクラウドソーシングサーバに提供される前記情報は、観察されたＬＴＥダウンリンク信号に基づく位置参照信号（ＰＲＳ）構成である、Ｃ１４に記載のスモールセル。
[Ｃ１６]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ１５に記載のスモールセル。
[Ｃ１７]  前記スモールセルは、マイクロセル、ピコセル、またはフェムトセルである、Ｃ１４に記載のスモールセル。
[Ｃ１８]  前記既知の位置を識別し、前記１つまたは複数の観察されたワイヤレス信号の１つまたは複数の検出された特性を記述する前記情報は、
前記１つまたは複数の観察されたワイヤレス信号に対応する１つまたは複数の受信された信号強度指示（ＲＳＳＩ）測定値と、
前記１つまたは複数の観察されたワイヤレス信号に対応する１つまたは複数の到達時間（ＴＯＡ）測定値と、
前記１つまたは複数の観察されたワイヤレス信号の少なくとも２つに対応する１つまたは複数の到達時間差（ＴＤＯＡ）測定値と、
前記１つまたは複数の観察されたワイヤレス信号に対応する１つまたは複数の到達の角度（ＡＯＡ）測定値と、
前記１つまたは複数の観察されたワイヤレス信号に対応する１つまたは複数のラウンドトリップ時間（ＲＴＴ）測定値との少なくとも１つを含む、Ｃ１４に記載のスモールセル。
[Ｃ１９]  ネットワークリスニング受信機は、前記１つまたは複数のワイヤレス信号を観察する、Ｃ１４に記載のスモールセル。
[Ｃ２０]  少なくとも１つのクラウドソーシングサーバに提供される前記情報は、
前記１つまたは複数の観察されたワイヤレス信号に対応する１つまたは複数の基地局の位置と、
前記１つまたは複数の観察されたワイヤレス信号に対応するＧＮＳＳ時間に関する１つまたは複数の基地局のタイミングと、
前記１つまたは複数の観察されたワイヤレス信号に対応する１つまたは複数のパイロット信号構成との少なくとも１つを含む、Ｃ１４に記載のスモールセル。
[Ｃ２１]  前記ＧＮＳＳ時間は、ＧＮＳＳの詳細な時間支援測定値である、Ｃ２０に記載のスモールセル。
[Ｃ２２]  少なくとも１つのクラウドソーシングサーバに提供される前記情報は、前記少なくとも１つのクラウドソーシングサーバによって要求された場合、または前記情報が変化する場合に、定期的に提供される、Ｃ１４に記載のスモールセル。
[Ｃ２３]  前記１つまたは複数のワイヤレス信号は、
ＧＳＭ信号と、
ＵＭＴＳ信号と、
ＬＴＥ信号と、
ＣＤＭＡ信号と、
ＷＬＡＮ信号と、の少なくとも１つを含む、Ｃ１４に記載のスモールセル。
[Ｃ２４]  前記既知の位置は、前記スモールセルの内部のＡ−ＧＮＳＳモジュールから得られる、Ｃ１４に記載のスモールセル。
[Ｃ２５]  ローカルデータベースは、前記スモールセルに基地局またはアクセスポイントに対する位置情報を提供することができる、Ｃ１４に記載のスモールセル。
[Ｃ２６]  少なくとも１つのクラウドソーシングサーバに前記スモールセルによって提供される前記情報は測定データである、Ｃ１４に記載のスモールセル。
[Ｃ２７]  クラウドソーシングワイヤレス信号のためにコンピュータ実行可能命令を格納する１つまたは複数のコンピュータ可読媒体であって、実行されると、スモールセルに含まれる１つまたは複数のコンピューティングデバイスが、
前記スモールセルが設置されている既知の位置で１つまたは複数のワイヤレス信号を観察し、ここにおいて、前記スモールセルは、セルラーダウンリンク信号を観察するために内蔵型のネットワークリスン受信機を備え、
少なくとも１つのクラウドソーシングサーバに、前記既知の位置を識別し、前記１つまたは複数の観察されたワイヤレス信号の１つまたは複数の検出された特性を記述する情報を提供し、ここにおいて、前記情報は、前記既知の位置の付近に位置する１つまたは複数のモバイルデバイスに位置支援情報を提供することにおいて、前記少なくとも１つのクラウドソーシングサーバによって使用されることを生じさせる、１つまたは複数のコンピュータ可読媒体。
[Ｃ２８]  少なくとも１つのクラウドソーシングサーバに提供される前記情報は、観察されたＬＴＥダウンリンク信号に基づく位置参照信号（ＰＲＳ）構成である、Ｃ２７に記載の１つまたは複数のコンピュータ可読媒体。
[Ｃ２９]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ２８に記載の１つまたは複数のコンピュータ可読媒体。
[Ｃ３０]  前記スモールセルは、マイクロセル、ピコセル、またはフェムトセルである、Ｃ２７に記載の１つまたは複数のコンピュータ可読媒体。
[Ｃ３１]  前記既知の位置を識別し、前記１つまたは複数の観察されたワイヤレス信号の１つまたは複数の検出された特性を記述する前記情報は、
前記１つまたは複数の観察されたワイヤレス信号に対応する１つまたは複数の受信された信号強度指示（ＲＳＳＩ）測定値と、
前記１つまたは複数の観察されたワイヤレス信号に対応する１つまたは複数の到達時間（ＴＯＡ）測定値と、
前記１つまたは複数の観察されたワイヤレス信号の少なくとも２つに対応する１つまたは複数の到達時間差（ＴＤＯＡ）測定値と、
前記１つまたは複数の観察されたワイヤレス信号に対応する１つまたは複数の到達の角度（ＡＯＡ）測定値と、
前記１つまたは複数の観察されたワイヤレス信号に対応する１つまたは複数のラウンドトリップ時間（ＲＴＴ）測定値との少なくとも１つを含むＣ２７に記載の１つまたは複数のコンピュータ可読媒体。
[Ｃ３２]  ネットワークリスニング受信機は、前記１つまたは複数のワイヤレス信号を観察する、Ｃ２７に記載の１つまたは複数のコンピュータ可読媒体。
[Ｃ３３]  少なくとも１つのクラウドソーシングサーバに提供される前記情報は、
前記１つまたは複数の観察されたワイヤレス信号に対応する１つまたは複数の基地局の位置と、
前記１つまたは複数の観察されたワイヤレス信号に対応するＧＮＳＳ時間に関する１つまたは複数の基地局のタイミングと、
前記１つまたは複数の観察されたワイヤレス信号に対応する１つまたは複数のパイロット信号構成との少なくとも１つを含む、Ｃ２７に記載の１つまたは複数のコンピュータ可読媒体。
[Ｃ３４]  前記ＧＮＳＳ時間は、ＧＮＳＳの詳細な時間支援測定値である、Ｃ３３に記載の１つまたは複数のコンピュータ可読媒体。
[Ｃ３５]  少なくとも１つのクラウドソーシングサーバに提供される前記情報は、前記少なくとも１つのクラウドソーシングサーバによって要求された場合、または前記情報が変化する場合に、定期的に提供される、Ｃ２７に記載の１つまたは複数のコンピュータ可読媒体。
[Ｃ３６]  前記１つまたは複数のワイヤレス信号は、
ＧＳＭ信号と、
ＵＭＴＳ信号と、
ＬＴＥ信号と、
ＣＤＭＡ信号と、
ＷＬＡＮ信号との少なくとも１つを含む、Ｃ２７に記載の１つまたは複数のコンピュータ可読媒体。
[Ｃ３７]  既知の位置は、前記スモールセルの内部のＡ−ＧＮＳＳモジュールから得られる、Ｃ２７に記載の１つまたは複数のコンピュータ可読媒体。
[Ｃ３８]  ローカルデータベースは、前記スモールセルに基地局またはアクセスポイントに対する位置情報を提供することができる、Ｃ２７に記載の１つまたは複数のコンピュータ可読媒体。
[Ｃ３９]  少なくとも１つのクラウドソーシングサーバに前記スモールセルによって提供される前記情報は測定データである、Ｃ２７に記載の１つまたは複数のコンピュータ可読媒体。
[Ｃ４０]  クラウドソーシングワイヤレス信号のためのスモールセルであって、
既知の位置に設置されたスモールセルによって、前記既知の位置で１つまたは複数のワイヤレス信号を観察するための手段と、ここにおいて、前記スモールセルは、セルラーダウンリンク信号を観察するために内蔵型のネットワークリスン受信機を備え、
前記スモールセルによって、少なくとも１つのクラウドソーシングサーバに、前記既知の位置を識別し、前記１つまたは複数の観察されたワイヤレス信号の１つまたは複数の検出された特性を記述する情報を提供するための手段と、ここにおいて、前記情報は、前記既知の位置の付近に位置する１つまたは複数のモバイルデバイスに位置支援情報を提供することにおいて、前記少なくとも１つのクラウドソーシングサーバによって使用される、を備える、スモールセル。
[Ｃ４１]  少なくとも１つのクラウドソーシングサーバに提供される前記情報は、観察されたＬＴＥダウンリンク信号に基づく位置参照信号（ＰＲＳ）構成である、Ｃ４０に記載の方法。
[Ｃ４２]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ４１に記載の方法。
[Ｃ４３]  前記スモールセルは、マイクロセル、ピコセル、またはフェムトセルである、Ｃ４０に記載の方法。
[Ｃ４４]  前記既知の位置を識別し、前記１つまたは複数の観察されたワイヤレス信号の１つまたは複数の検出された特性を記述する前記情報は、
前記１つまたは複数の観察されたワイヤレス信号に対応する１つまたは複数の受信された信号強度指示（ＲＳＳＩ）測定値と、
前記１つまたは複数の観察されたワイヤレス信号に対応する１つまたは複数の到達時間（ＴＯＡ）測定値と、
前記１つまたは複数の観察されたワイヤレス信号の少なくとも２つに対応する１つまたは複数の到達時間差（ＴＤＯＡ）測定値と、
前記１つまたは複数の観察されたワイヤレス信号に対応する１つまたは複数の到達の角度（ＡＯＡ）測定値と、
前記１つまたは複数の観察されたワイヤレス信号に対応する１つまたは複数のラウンドトリップ時間（ＲＴＴ）測定値との少なくとも１つを含む、Ｃ４０に記載の方法。
[Ｃ４５]  少なくとも１つのクラウドソーシングサーバに提供される前記情報は、
前記１つまたは複数の観察されたワイヤレス信号に対応する１つまたは複数の基地局の位置と、
前記１つまたは複数の観察されたワイヤレス信号に対応するＧＮＳＳ時間に関する１つまたは複数の基地局のタイミングと、
前記１つまたは複数の観察されたワイヤレス信号に対応する１つまたは複数のパイロット信号構成との少なくとも１つを含む、Ｃ４０に記載の方法。
[Ｃ４６]  前記ＧＮＳＳ時間は、ＧＮＳＳの詳細な時間支援測定値である、Ｃ４５に記載の方法。
[Ｃ４７]  少なくとも１つのクラウドソーシングサーバに提供される前記情報は、前記少なくとも１つのクラウドソーシングサーバによって要求された場合、または前記情報が変化する場合に、定期的に提供される、Ｃ４０に記載の方法。
[Ｃ４８]  前記１つまたは複数のワイヤレス信号は、
ＧＳＭ信号と、
ＵＭＴＳ信号と、
ＬＴＥ信号と、
ＣＤＭＡ信号と、
ＷＬＡＮ信号と、の少なくとも１つを含む、Ｃ４０に記載の方法。
[Ｃ４９]  前記既知の位置は、前記スモールセルの内部のＡ−ＧＮＳＳモジュールから得られる、Ｃ４０に記載の方法。
[Ｃ５０]  ローカルデータベースは、前記スモールセルに基地局またはアクセスポイントに対する位置情報を提供することができる、Ｃ４０に記載の方法。
[Ｃ５１]  少なくとも１つのクラウドソーシングサーバに前記スモールセルによって提供される前記情報は、測定データであるＣ４０に記載の方法。
[Ｃ５２]  クラウドソーシングサーバであって、
少なくとも１つのプロセッサと、
実行されると、前記クラウドソーシングサーバが、
既知の位置に設置されたスモールセルから、前記既知の位置で前記スモールセルによって観察された１つまたは複数のワイヤレス信号を記述する情報を受信し、ここにおいて、前記スモールセルは、セルラーダウンリンク信号を観察するために内蔵型のネットワークリスン受信機を備え、
前記受信された情報に基づいてデータベースを更新し、
前記データベースに含まれる情報を使用して、１つまたは複数のモバイルデバイスに位置支援情報を提供する
ことを生じさせるコンピュータ可読命令を格納するメモリとを備える、クラウドソーシングサーバ。
[Ｃ５３]  前記受信された情報は、観察されたＬＴＥダウンリンク信号に基づく位置参照信号（ＰＲＳ）構成である、Ｃ５２に記載のクラウドソーシングサーバ。
[Ｃ５４]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ５３に記載のクラウドソーシングサーバ。
[Ｃ５５]  前記データベースは、複数の異なる位置に設置された複数のスモールセルによって提供される信号観察情報を含む、Ｃ５２に記載のクラウドソーシングサーバ。
[Ｃ５６]  前記データベースは、他のモバイルデバイスから受信された信号観察情報をさらに含む、Ｃ５２に記載のクラウドソーシングサーバ。
[Ｃ５７]  クラウドソーシングサーバを使用するクラウドソーシングワイヤレス信号のための方法であって、
既知の位置に設置されたスモールセルから、前記既知の位置で前記スモールセルによって観察された１つまたは複数のワイヤレス信号を記述する情報を受信することと、ここにおいて、前記スモールセルは、セルラーダウンリンク信号を観察するために内蔵型のネットワークリスン受信機を備え、
前記受信した情報に基づいてデータベースを更新することと、
前記データベースに含まれる情報を使用して、１つまたは複数のモバイルデバイスに位置支援情報を提供することとを備える、方法。
[Ｃ５８]  前記受信された情報は、観察されたＬＴＥダウンリンク信号に基づく位置参照信号（ＰＲＳ）構成である、Ｃ５７に記載の方法。
[Ｃ５９]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ５８に記載の方法。
[Ｃ６０]  前記データベースは、複数の異なる位置に設置された複数のスモールセルによって提供される信号観察情報を含む、Ｃ５７に記載の方法。
[Ｃ６１]  前記データベースは、他のモバイルデバイスから受信された信号観察情報をさらに含む、Ｃ５７に記載の方法。
[Ｃ６２]  クラウドソーシングワイヤレス信号のためにコンピュータ実行可能命令を格納する１つまたは複数のコンピュータ可読媒体であって、実行されると、クラウドソーシングサーバに含まれる１つまたは複数のコンピューティングデバイスが、
既知の位置に設置されたスモールセルから、前記既知の位置で前記スモールセルによって観察された１つまたは複数のワイヤレス信号を記述する情報を受信し、ここにおいて、前記スモールセルは、セルラーダウンリンク信号を観察するために内蔵型のネットワークリスン受信機を備え、
前記受信された情報に基づいてデータベースを更新し、
前記データベースに含まれる情報を使用して、１つまたは複数のモバイルデバイスに位置支援情報を提供することを生じさせる、１つまたは複数のコンピュータ可読媒体。
[Ｃ６３]  前記受信された情報は、観察されたＬＴＥダウンリンク信号に基づく位置参照信号（ＰＲＳ）構成である、Ｃ６２に記載の１つまたは複数のコンピュータ可読媒体。
[Ｃ６４]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ６３に記載の１つまたは複数のコンピュータ可読媒体。
[Ｃ６５]  前記データベースは、複数の異なる位置に設置された複数のスモールセルによって提供される信号観察情報を含む、Ｃ６２に記載の１つまたは複数のコンピュータ可読媒体。
[Ｃ６６]  データベースは、他のモバイルデバイスから受信された信号観察情報をさらに含む、Ｃ６２に記載の１つまたは複数のコンピュータ可読媒体。
[Ｃ６７]  既知の位置に設置されたスモールセルから、前記既知の位置で前記スモールセルによって観察された１つまたは複数のワイヤレス信号を記述する情報を受信するための手段と、ここにおいて、前記スモールセルは、セルラーダウンリンク信号を観察するために内蔵型のネットワークリスン受信機を備え、
前記受信された情報に基づいてデータベースを更新するための手段と、
前記データベースに含まれる情報を使用して、１つまたは複数のモバイルデバイスに位置支援情報を提供するための手段とを備えるクラウドソーシングサーバ。
[Ｃ６８]  前記受信された情報は、観察されたＬＴＥダウンリンク信号に基づく位置参照信号（ＰＲＳ）構成である、Ｃ６７に記載の方法。
[Ｃ６９]  前記ＰＲＳ構成は、
１つまたは複数のＰＲＳ帯域幅情報要素と、
１つまたは複数のＰＲＳ構成インデックスと、
１つまたは複数のＰＲＳサブフレーム情報要素の数と、
１つまたは複数のＰＲＳミューティング情報要素との少なくとも１つを含む、Ｃ６８に記載の方法。
[Ｃ７０]  前記データベースは、複数の異なる位置に設置された複数のスモールセルによって提供される信号観察情報を含む、Ｃ６７に記載の方法。
[Ｃ７１]  前記データベースは、他のモバイルデバイスから受信された信号観察情報をさらに含む、Ｃ６７に記載の方法。